(57)【要約】      （修正有）【課題】カブリの発生をより抑制できる画像形成装置を提供する。【解決手段】制御部９０は、現像装置１６を含む画像形成部における画像形成条件を制御する。制御部９０は、トナー付着量から算出されるトナー現像性分布に応じて画像形成条件を変更してトナー像を形成する補正モードを実行可能である。トナー現像性分布は、感光体ドラム１４及び現像ローラー３５を回転させながら現像ローラー３５へ印加する現像バイアスを一定の増加率で経時的に変化させて検知されるトナー付着量の増加率から算出される。【選択図】図２
2019184952.tif 000002
【特許請求の範囲】
【請求項１】
像担持体に対向配置され磁性トナーを担持して前記像担持体に供給するトナー担持体を有し、前記像担持体表面に静電潜像に応じたトナー像を形成する現像装置と、
前記トナー担持体から前記像担持体に付着するトナー付着量を検知する検知部と、
前記現像装置を含む画像形成部における画像形成条件を制御する制御部と、
を備え、
前記制御部は、前記トナー付着量から算出されるトナー現像性分布に応じて画像形成条件を変更して前記トナー像を形成する補正モードを実行可能であり、
前記トナー現像性分布は、前記像担持体及び前記トナー担持体を回転させながら前記トナー担持体へ印加する現像バイアスを一定の増加率で経時的に変化させて検知される前記トナー付着量の増加率から算出されることを特徴とする画像形成装置。
【請求項２】
前記検知部は、前記像担持体と前記トナー担持体との間に流れる現像電流に基づいて前記トナー付着量を検知することを特徴とする請求項１に記載の画像形成装置。
【請求項３】
前記検知部は、前記像担持体の表面に形成される前記トナー像の反射濃度に基づいて前記トナー付着量を検知することを特徴とする請求項１に記載の画像形成装置。
【請求項４】
前記画像形成条件は、直流バイアスに交流バイアスを重畳して構成される現像バイアスにおける前記直流バイアスの電圧値、前記交流バイアスのピークツーピーク値、周波数、Ｄｕｔｙのいずれかであることを特徴とする請求項１〜請求項３のいずれかに記載の画像形成装置。
【請求項５】
前記補正モードは、前記トナー現像性分布から算出されるトナー付着量の増加率の半値幅に基づいて実行されることを特徴とする請求項１〜請求項４のいずれかに記載の画像形成装置。
【請求項６】
前記補正モードは、前記トナー現像性分布から算出される前記トナー担持体から飛翔して前記像担持体に付着したトナーの飛翔割合に基づいて実行されることを特徴とする請求項１〜請求項５のいずれかに記載の画像形成装置。
【発明の詳細な説明】
【技術分野】
【０００１】
本発明は、現像装置を備える画像形成装置に関するものである。
【背景技術】
【０００２】
従来の画像形成装置は特許文献１に開示されている。この画像形成装置は現像装置を備える。現像装置は感光体ドラム（像担持体）に静電潜像に応じたトナー像を形成する。現像装置は感光体ドラムに対向配置される現像ローラー（トナー担持体）を有する。トナーが付着した現像ローラーはトナーを感光体ドラムに飛翔させて感光体ドラム表面にトナー像を形成する。
【０００３】
また、画像形成を繰り返し行う場合や環境変化や劣化により、帯電量が小さいトナーや逆帯電のトナーが発生する問題に対して、感光体ドラムに複数のパッチパターンを形成し、パッチパターンの電位及びトナー付着量を測定する。パッチパターンの電位とトナー付着量との関係から画像形成時の各種電位を変更することにより、画像濃度を調整する。
【先行技術文献】
【特許文献】
【０００４】
【特許文献１】特開平７−２５３６９４号公報
【発明の概要】
【発明が解決しようとする課題】
【０００５】
上記従来の画像形成装置によると、感光体ドラムに形成された複数のパッチパターンを構成するトナーのみからトナー特性を検知しているため、現像装置内にあるトナー全体のトナー特性を検知することができない。このため、カブリのような非印字領域へトナーが飛翔する問題に対応できない問題があった。
【０００６】
上記目的を達成するために本発明は、カブリの発生をより抑制できる画像形成装置を提供することを目的とする。
【課題を解決するための手段】
【０００７】
上記目的を達成するために、本発明の第１の構成の画像形成装置は、現像装置と、検知部と、制御部とを備える。現像装置はトナー担持体を有し、前記像担持体表面に静電潜像に応じたトナー像を形成する。前記トナー担持体は、像担持体に対向配置され磁性トナーを担持して前記像担持体に供給する。検知部は、前記トナー担持体から前記像担持体に付着するトナー付着量を検知する。制御部は、前記現像装置を含む画像形成部における画像形成条件を制御する。前記制御部は、前記トナー付着量から算出されるトナー現像性分布に応じて画像形成条件を変更して前記トナー像を形成する補正モードを実行可能である。前記トナー現像性分布は、前記像担持体及び前記トナー担持体を回転させながら前記トナー担持体へ印加する現像バイアスを一定の増加率で経時的に変化させて検知される前記トナー付着量の増加率から算出される。
【発明の効果】
【０００８】
本発明の第１の構成によれば、制御部は、検知部が検知するトナー付着量から算出されるトナー現像性分布に応じて画像形成条件を変更してトナー像を形成する補正モードを実行可能である。トナー現像性分布は、像担持体及びトナー担持体を回転させながらトナー担持体へ印加する現像バイアスを一定の増加率で経時的に変化させて検知されるトナー付着量の増加率から算出される。帯電量が小さいトナーや、逆帯電のトナーが現像装置内のトナー全体で増加した場合に、所定の現像バイアスにおいてトナー付着量の増加率が大きく変化する。このため、トナー付着量の増加率を示すトナー現像性分布から現像装置内にあるトナー全体のトナー特性を容易に判定することができる。従って、判定したトナー特性に応じて画像形成条件を変更することによりカブリの発生をより抑制できる。
【図面の簡単な説明】
【０００９】
【図１】本発明の画像形成装置の全体構成を示す概略断面図
【図２】本発明の画像形成装置に用いられる現像装置の断面図
【図３】本発明の画像形成装置の制御経路を示すブロック図
【図４】本発明の画像形成装置の動作を示すフローチャート
【図５】本発明の現像装置の現像バイアスの増加率を示すグラフ
【図６】本発明の現像装置の現像バイアスへ付着するトナー付着量を示すグラフ
【図７】本発明の現像装置のトナー現像性分布を示すグラフ
【図８】本発明の画像形成装置におけるカブリの発生率を示すグラフ
【発明を実施するための形態】
【００１０】
以下、図面を参照しながら本発明の実施形態について説明する。図１は、本発明の画像形成装置１００の全体構成を示す概略構成図であり、右側を画像形成装置１００の前方側として図示している。
【００１１】
画像形成装置１００の本体下部には、積載された用紙を収容する給紙カセット２が配置される。給紙カセット２の上方には用紙搬送路４が形成される。用紙搬送路４は本体前方から本体後方へ略水平に延び、更に上方へ延びて本体上面に形成された排紙部３に至る。用紙搬送路４には、上流側から順に、ピックアップローラー５、フィードローラー６、中間搬送ローラー７、レジストローラー対８、画像形成部９、定着部１０及び排出ローラー対１１が配置される。
【００１２】
給紙カセット２には、用紙搬送方向後端部に回動支点１２ａが設けられる。回動支点１２ａは用紙積載板１２を給紙カセット２に対して回動自在に支持する。用紙積載板１２上に積載された用紙はピックアップローラー５に押圧される。給紙カセット２の前方側には、フィードローラー６に圧接するリタードローラー１３が配設される。ピックアップローラー５によって複数枚の用紙が同時に給装された場合には、フィードローラー６とリタードローラー１３とによって用紙が捌かれ、最上位の１枚のみが搬送される。
【００１３】
フィードローラー６とリタードローラー１３とによって捌かれた用紙は、中間搬送ローラー７によって搬送方向を装置後方へと変えられてレジストローラー対８へと搬送される。レジストローラー対８によってタイミングを調整された用紙は画像形成部９へと供給される。
【００１４】
画像形成部９は、電子写真プロセスによって用紙に所定のトナー像を形成する。画像形成部９は感光体ドラム１４と、帯電装置１５と、現像装置１６と、クリーニング装置１７と、転写ローラー１８と、露光ユニット（ＬＳＵ）１９とから構成される。
【００１５】
感光体ドラム１４は図１において時計回りに回転可能に軸支された像担持体である。感光体ドラム１４の周囲には帯電装置１５、現像装置１６、クリーニング装置１７及び転写ローラー１８が配置される。転写ローラー１８は用紙搬送路４を挟んで感光体ドラム１４に対向して配置される。露光ユニット１９は感光体ドラム１４の上方に配置される。また、現像装置１６の上方には、現像装置１６へトナーを補給するトナーコンテナ２０が配置される。
【００１６】
帯電装置１５は、図示しない電源が接続された導電性ゴムローラー１５ａを備える。導電性ゴムローラー１５ａは感光体ドラム１４に当接するよう配置される。感光体ドラム１４が回転すると、導電性ゴムローラー１５ａが感光体ドラム１４の表面に接触して従動回転する。この時、導電性ゴムローラー１５ａに所定の電圧を印加することにより、感光体ドラム１４の表面が一様に帯電する。
【００１７】
次いで、露光ユニット（ＬＳＵ）１９からのレーザビームにより入力された画像データに基づく静電潜像が感光体ドラム１４上に形成される。また、現像装置１６により静電潜像にトナーが付着されて感光体ドラム１４の表面にトナー像が形成される。そして、レジストローラー対８から感光体ドラム１４と転写ローラー１８とのニップ部（転写位置）に用紙が所定のタイミングで供給される。用紙上には転写ローラー１８によって感光体ドラム１４の表面のトナー像が転写される。トナー像が転写された用紙は、感光体ドラム１４から分離されて定着部１０に向けて搬送される。
【００１８】
定着部１０は、画像形成部９の用紙搬送方向の下流側に配置され、加熱ローラー２１及び加圧ローラー２２を備える。加圧ローラー２２は加熱ローラー２１に圧接される。画像形成部９においてトナー像が転写された用紙は、加熱ローラー２１及び加圧ローラー２２によって加熱及び加圧される。これにより、用紙に転写されたトナー像が定着する。
【００１９】
画像形成部９及び定着部１０において画像形成がなされた用紙は、排出ローラー対１１によって排紙部３に排出される。一方、転写後に感光体ドラム１４の表面に残留しているトナーはクリーニング装置１７により除去される。そして、感光体ドラム１４は帯電装置１５によって再び帯電され、以下同様にして画像形成が行われる。
【００２０】
図２は、本発明の画像形成装置１００に搭載される現像装置１６の側面断面図である。現像装置１６は、筐体３１、第１スパイラル部材３２、第２スパイラル部材３３及び現像ローラー３５を備える。第１スパイラル部材３２、第２スパイラル部材３３、現像ローラー３５は筐体３１内部に収納される。
【００２１】
筐体３１はケーシング３１ａとカバー３１ｂとで構成される。ケーシング３１ａは磁性トナーから成る一成分現像剤が収容される。カバー３１ｂはケーシング３１ａに収容されたトナーが外部に漏れないように封止する。なお、カバー３１ｂにはトナー補給口（図示せず）が設けられる。トナー量検知センサー（図示せず）の検出結果に応じてトナー補給口を介してトナーコンテナ２０（図１参照）からケーシング３１ａ内部にトナーが補給される。
【００２２】
ケーシング３１ａの内部は、長手方向（図の紙面方向）に延在する仕切板３７によって第１貯留室３８と第２貯留室３９とに区画される。第１貯留室３８には、第１スパイラル部材３２が配設され、第２貯留室３９には第２スパイラル部材３３が配設される。また、仕切板３７の一端とケーシング３１ａとの間には通路が形成され、通路を介して第１貯留室３８と第２貯留室３９の間をトナーが移動する。
【００２３】
第１スパイラル部材３２及び第２スパイラル部材３３が所定方向に回転することによって第１貯留室３８及び第２貯留室３９内のトナーが循環搬送される。
【００２４】
現像ローラー３５は、第１スパイラル部材３２及び第２スパイラル部材３３と略平行となるように第１貯留室３８内に回転可能に軸支される。現像ローラー３５の内部にはマグネット体４０が固定される。マグネット体４０は複数の磁極（ここでは３極）を有する永久磁石から成る。
【００２５】
感光体ドラム１４の回転に応じて現像ローラー３５が回転すると、マグネット体４０の磁力により現像ローラー３５の表面にトナーが付着（担持）されてトナー層が形成される。現像ローラー３５に付着したトナーは、現像ローラー３５と感光体ドラム１４とが対峙する現像ニップ部Ｒにおいて感光体ドラム１４の表面電位と現像ローラー３５に印加される現像バイアスとの電位差により感光体ドラム１４へと飛翔して感光層に付着し、感光体ドラム１４表面にトナー像が形成される。
【００２６】
また、感光体ドラム１４と現像ローラー３５とは検知部７０に接続されている。検知部７０は後述する制御部９０に接続されおり、感光体ドラム１４と現像ローラー３５との間を流れる電流（以下、現像電流という）を検知する。検知された現像電流により現像ローラー３５から飛翔して感光体ドラム１４へ付着するトナーの付着量を検知することができる。
【００２７】
次に、本発明の画像形成装置１００の制御経路について説明する。図３は、本発明の画像形成装置１００に用いられる制御経路の一例を示すブロック図である。
【００２８】
制御部９０は、中央演算処理装置としてのＣＰＵ（Central Processing Unit）９１、読み出し専用の記憶部であるＲＯＭ（Read Only Memory）９２、読み書き自在の記憶部であるＲＡＭ（Random Access Memory）９３、一時的に画像データ等を記憶する一時記憶部９４、カウンター９５、Ｉ／Ｆ（インターフェイス）９６を少なくとも備えている。Ｉ／Ｆ（インターフェイス）９６は複数（ここでは２つ）備えられ、画像形成装置１００内の各装置に制御信号を送信し、操作部６０からの入力信号を受信する。
【００２９】
ＲＯＭ９２には、画像形成装置１００の制御用プログラムや、制御上の必要な数値等、画像形成装置１００の使用中に変更されることがないデータ等が収められている。
【００３０】
ＲＡＭ９３には、画像形成装置１００の制御途中で発生した必要なデータや、画像形成装置１００の制御に一時的に必要となるデータ等が記憶される。
【００３１】
また、ＲＯＭ９２（或いはＲＡＭ９３）には、後述する判定モードの実行の要否を判断する印刷枚数及び感光体ドラム１４の回転速度等が格納されている。
【００３２】
カウンター９５は、印刷枚数を積算してカウントする。なお、カウンター９５を別途設けなくても、例えばＲＡＭ９３でその回数を記憶するようにしてもよい。
【００３３】
制御部９０は、画像形成装置１００における各部分、装置に対し、ＣＰＵ９１からＩ／Ｆ９６を通じて制御信号を送信する。また、各部分、装置からその状態を示す信号や入力信号がＩ／Ｆ９６を通じてＣＰＵ９１に送信される。
【００３４】
制御部９０が制御する各部分、装置としては、例えば、給紙カセット２、定着部１０、現像装置１６、露光ユニット１９、トナーコンテナ２０、画像入力部５０、バイアス制御回路５１、操作部６０、検知部７０等が挙げられる。
【００３５】
画像入力部５０は、画像形成装置１００が図１に示すようなプリンターである場合、パーソナルコンピューター等から送信される画像データを受信する受信部である。画像形成装置１００が複写機である場合、画像入力部５０は、複写時に原稿を照明するスキャナランプや原稿からの反射光の光路を変更するミラーが搭載された走査光学系、原稿からの反射光を集光して結像する集光レンズ、及び結像された画像光を電気信号に変換するＣＣＤ等から構成される画像読取部である。画像入力部５０に入力された画像信号は、デジタル信号に変換された後、一時記憶部９４に送出される。
【００３６】
バイアス制御回路５１は、帯電バイアス電源５２、現像バイアス電源５３、転写バイアス電源５４と接続され、制御部９０からの出力信号によりこれらの各電源を作動させるものであり、これらの各電源はバイアス制御回路５１からの制御信号によって、帯電装置１５、現像ローラー３５（図２参照）、転写ローラー１８に所定のバイアスを印加する。
【００３７】
また、現像バイアス電源５３が現像ローラー３５に印加する現像バイアスは後述する判定モードの実行時と、通常モード及び補正モードの実行時とで異なる。具体的には、判定モードの実行時において現像バイアスは直流バイアスであり、所定の印加速度により一定の増加率で経時的に変化させながら印加する。
【００３８】
一方、通常モード及び補正モードの実行時において現像バイアスは直流バイアスに交流バイアスを重畳することにより構成され、所定のタイミングで印加される。
【００３９】
操作部６０には、液晶表示部６１、各種の状態を示すＬＥＤ６２、テンキー６３が設けられる。ユーザーは操作部６０を操作して指示を入力することで、画像形成装置１００の各種の設定をし、画像形成等の各種機能を実行させる。
【００４０】
液晶表示部６１は、画像形成装置１００の状態を示したり、画像形成状況や印刷部数を表示する。また、液晶表示部６１は、タッチパネルとして、両面印刷や白黒反転等の機能や倍率設定、濃度設定など各種設定を行える。テンキー６３は、印刷部数の設定や、画像形成装置１００がＦＡＸ機能も有する場合に相手方のＦＡＸ番号を入力等するためのものである。
【００４１】
その他、操作部６０には、画像形成を開始するようにユーザーが指示するスタートボタン、画像形成を中止する際等に使用するストップ／クリアボタン、画像形成装置１００の各種設定をデフォルト状態にする際に使用するリセットボタン等が設けられている。
【００４２】
本発明の画像形成装置１００は、判定モード、通常モード及び補正モードを実行可能に構成される。通常モードは、予め記憶された画像形成条件に基づいて現像装置１６が感光体ドラム１４上にトナー像を形成する。補正モードは、通常モードとは異なる画像形成条件に基づいて現像装置１６が感光体ドラム１４上にトナー像を形成する。
【００４３】
図４は、画像形成装置１００の動作を示すフローチャートである。必要に応じて図１〜図３を参照しながら、図４のステップに従い判定モード、通常モード及び補正モードの実行手順について具体的に説明する。
【００４４】
ユーザーによって操作部６０が操作されると以下の動作が行われる。ステップＳ１では制御部９０が、ユーザーの操作が電源をＯＮにする操作か否かを判断する。電源をＯＮにする操作がされた場合はステップＳ３に移行する。また、電源をＯＮする操作がされなかった場合はステップＳ２に移行する。
【００４５】
ステップＳ２では制御部９０が、ユーザーの操作がスリープ状態から通常のスタンバイ状態へ復帰する操作か否かを判断する。スリープ状態では消費電力を可能な限り落としてハードウエアの多くが動作していない。スタンバイ状態に復帰する操作が行われた場合はステップＳ３に移行する。また、スタンバイ状態へ復帰する操作でない場合はステップＳ１及びステップＳ２を繰り返してユーザーからの操作を待機する。
【００４６】
ステップＳ３では制御部９０が、判定モードに移行するか否かを判定する。具体的には前回判定モードを実行して所定の判定時間が経過したか否かを判定する。判定時間を経過していない場合はトナーの劣化は少ないと判定してステップＳ９に移行し、通常モードが立ち上がる。一方、判定時間を経過している場合はトナーの劣化が大きい可能性が高いと判定してステップＳ４に移行して判定モードを実行する。
【００４７】
なお、ステップＳ３では前回判定モードを実行してから時間経過によって判定モードに移行するか否かを判定しているが、前回判定モードを実行して所定の枚数を印刷しているか否かで判定モードに移行するか否かを判定してもよい。
【００４８】
ステップＳ４で判定モードが実行され、ステップＳ５に移行する。ステップＳ５では現像ローラー３５から飛翔して感光体ドラム１４へ付着するトナー付着量を検知し、ステップＳ６に移行する。ここで、トナー付着量は、検知部７０が検知する感光体ドラム１４と現像ローラー３５との間を流れる現像電流から検知される。具体的には、感光体ドラム１４及び現像ローラー３５を所定の回転速度で回転させるとともに現像ローラー３５へ直流バイアスで構成される現像バイアスを一定の増加率で経時的に増加させながら印加したときの現像電流を検知部７０が検知する。このとき、現像ローラー３５から感光体ドラム１４へ飛翔するトナーにより現像電流が変化するためトナー付着量を正確に検知することができる。
【００４９】
なお、ステップＳ５ではトナー付着量を感光体ドラム１４と現像ローラー３５との間を流れる現像電流を検知して測定したが、反射濃度センサーを用いて測定してもよい。反射濃度センサーは感光体ドラム１４上のトナー像の反射濃度を光学的に検知し、反射濃度から感光体ドラム１４のトナー付着量を正確に測定することができる。
【００５０】
図５は、ステップＳ５で現像ローラー３５へ印加する現像バイアスの増加率を示すグラフであり、図６はステップＳ５で感光体ドラム１４へ付着するトナー付着量を示すグラフである。図５の縦軸は現像バイアス（単位：Ｖ）を示し、横軸は印加時間（単位：Ｓ）を示す。図６の縦軸はトナー付着量（単位：μＣ）を示し、横軸は印加時間（単位：Ｓ）を示す。図６、図中のＮ１は正常な状態のトナーについて検知したトナー付着量を示し、Ｎ２は劣化した状態のトナーについて検知したトナー付着量を示す。なお、図５中において、現像バイアス及び印加時間は一例であり、本発明を限定しない。
【００５１】
ステップＳ６では制御部９０が、ステップＳ５で検出されたトナー付着量からトナー付着量の増加率を算出してトナー現像性分布を作成し、ステップＳ７に移行する。
【００５２】
図７は、ステップＳ６で算出されたトナー現像性分布を示すグラフであり、縦軸がトナー付着量の増加率を示す。横軸は現像バイアスの印加電圧（単位：Ｖ）を示す。なお、横軸の現像バイアスの印加電圧は図５で示した現像バイアスの印加電圧と印加時間の関係に対応する。また、図７、図中のＮ１は正常な状態のトナーについて検知したトナー付着量を示し、Ｎ２は劣化した状態のトナーについて検知したトナー付着量を示す。
【００５３】
トナー付着量の増加率はステップＳ５において検知したトナー付着量の単位印加電圧当たりの増加率である。即ち図６に示したグラフの傾きであり、トナー付着量を微分して算出される。
【００５４】
図７に示すように、劣化した状態のトナーが示すトナー現像性分布Ｎ２は正常な状態のトナーが示すトナー現像性分布Ｎ１と比較して平坦（ブロード）となる。これは、トナーの劣化により、帯電量が小さいトナーや、逆帯電量のトナーが現像装置１６内にあるトナー全体で増加し、所定の現像バイアスにおいて飛翔するトナーが大きく減少していることを示している。
【００５５】
ステップＳ７では制御部９０が、ステップＳ６で形成されたトナー現像性分布から得られる所定の閾値を超えるか否かを判定する。閾値を超える場合はＳ８に移行して補正モードが立ち上がる。また、閾値を超えない場合はＳ９に移行にして通常モードが立ち上がる。
【００５６】
閾値は、トナー付着量の増加率の半値幅及び所定の印加電圧以上の現像バイアスに対して現像ローラー３５から飛翔して感光体ドラム１４に付着したトナーの飛翔割合に基づいて決定される。これにより、現像装置１６内にあるトナー全体のトナー特性を容易に判定することができる。なお、半値幅はトナー現像性分布において、トナー付着量の増加率がピーク値の５０％になる現像バイアスの印加電圧の幅である。また、トナーの飛翔割合は図７のトナー現像性分布の面積比からを算出することができる。
【００５７】
例えば、閾値は、半値幅が１３０Ｖ以上であり、且つ、現像バイアスが５５０Ｖ以上の場合においてトナーの飛翔割合の総和が２０％以上と設定される。現像バイアスの開始電圧が３００Ｖであり、終了電圧が７００Ｖであるのに対して、半値幅が１３０Ｖ以上ある場合、トナーの劣化により、帯電量が小さいトナーや逆帯電量のトナーの占める割合が多く、トナー現像性分布が平坦（ブロード）に形成されていると容易に判定できる。
【００５８】
また、現像バイアスの開始電圧が３００Ｖであり、終了電圧が７００Ｖであるのに対して、現像バイアスが５５０Ｖ以上のトナーの飛翔割合の総和が２０％以上の場合、トナーの飛翔割合が高電圧側に偏っており、トナーの劣化により、帯電量が小さいトナーや逆帯電量のトナーの占める割合が多いと容易に判定できる。
【００５９】
ステップＳ８では補正モードが立ち上がり、画像形成条件をカブリの発生を抑制する条件に変更して画像形成が行われ、補正モードが終了する。
【００６０】
ステップＳ８の画像形成条件は直流バイアスに交流バイアスを重畳することにより構成される現像バイアスの印加条件である。具体的には、直流バイアスの印加条件は電圧（Ｖｄｃ）であり、交流バイアスの印加条件はピークツーピーク値（Ｖｐｐ）、周波数（Ｖｆ）、Ｄｕｔｙである。
【００６１】
トナーの劣化により、現像装置１６内において帯電量が小さいトナーや逆帯電量のトナーの占める割合が多い場合、直流バイアスの電圧値（Ｖｄｃ）、交流バイアスの周波数、Ｄｕｔｙを通常モードの画像形成条件と比較して大きくし、ピークツーピーク値（Ｖｐｐ）を小さくする。これにより、カブリ濃度を抑制し、カブリの発生を抑制することができる。
【００６２】
一方、ステップＳ９では通常モードが立ち上がり、通常の画像形成条件により画像形成が行われ、通常モードが終了する。
【００６３】
次に本発明の効果について、実施例及び比較例を用いて具体的に説明する。
【実施例】
【００６４】
実施例では画像形成装置１００を用いて画像形成を行う際、所定枚数印字後に補正モードを実行した。補正モードにおける画像形成条件としては、現像バイアスを構成する直流バイアスの電圧値（Ｖｄｃ）が３１０Ｖであり、交流バイアスのピークツーピーク値（Ｖｐｐ）が１．７ｋＶ、周波数（Ｖｆ）が３．０ｋＨｚ、Ｄｕｔｙが６０％である。
【００６５】
［比較例］
比較例では画像形成装置１００を用いて画像形成を行う際、所定枚数印字後に通常モードを実行した。通常モードにおける画像形成条件としては、現像バイアスを構成する直流バイアスの電圧値（Ｖｄｃ）が３１０Ｖであり、交流バイアスのピークツーピーク値（Ｖｐｐ）が１．７ｋＶ、周波数（Ｖｆ）が２．７ｋＨｚ、Ｄｕｔｙが６０％である。
【００６６】
［カブリ抑制の評価］
図８はカブリの発生率を示すグラフであり、縦軸にカブリ濃度（ＦＤ：Fog Density）を示し、横軸に印刷枚数（枚）を示す。なお、図８中の実線で示す曲線Ｌ１は実施例の状態を示し、破線で示す曲線Ｌ２は比較例の状態を示している。
【００６７】
低印字率の印字を２００枚印刷し、トナーにストレスを与え、２０１枚以降の印刷から実施例に係る補正モードと比較例に係る通常モードとを実行して印刷し、カブリ濃度を測定した。その結果、補正モードを実行することにより通常モードを実行した場合と比較してカブリ濃度がより抑制され、カブリの発生を抑制できることが確認された。
【００６８】
なお、上記実施形態では、複合機に本発明を適用する場合について説明したが、本発明はこれに限らず、複合機以外の画像形成装置にも本発明を適用することができる。すなわち、複写機、ファクシミリ及びプリンターや、それらの複合機などの種々の画像形成装置に本発明は適用可能である。
【符号の説明】
【００６９】
２      給紙カセット
３      排紙部
４      用紙搬送路
５      ピックアップローラー
６      フィードローラー
７      中間搬送ローラー
８      レジストローラー対
９      画像形成部
１０      定着部
１１      排出ローラー対
１２      用紙積載板
１２ａ    回動支点
１３      リタードローラー
１４      感光体ドラム（像担持体）
１５      帯電装置
１５ａ    導電性ゴムローラー
１６      現像装置
１７      クリーニング装置
１８      転写ローラー
１９      露光ユニット
２０      トナーコンテナ
２１      加熱ローラー
２２      加圧ローラー
３１      筐体
３１ａ    ケーシング
３１ｂ    カバー
３２      第１スパイラル部材
３３      第２スパイラル部材
３５      現像ローラー（トナー担持体）
３７      仕切板
３８      第１貯留室
３９      第２貯留室
４０      マグネット体
４０ａ    主極
４１      磁界発生部材
５０      画像入力部
５１      バイアス制御回路
５２      帯電バイアス電源
５３      現像バイアス電源
５４      転写バイアス電源
６０      操作部
６１      液晶表示部
６２      ＬＥＤ
６３      テンキー
７０      検知部
９０      制御部
９１      ＣＰＵ
９２      ＲＯＭ
９３      ＲＡＭ
９４      一時記憶部
９５      カウンター
１００      画像形成装置
Ｒ      現像ニップ部
【図１】
2019184952.tif 000003
【図２】
2019184952.tif 000004
【図３】
2019184952.tif 000005
【図４】
2019184952.tif 000006
【図５】
2019184952.tif 000007
【図６】
2019184952.tif 000008
【図７】
2019184952.tif 000009
【図８】
2019184952.tif 000010